(57)【要約】 【課題】映像信号の入力と同時に光ディスクへ記録する方式においても、動画の一部を静止画化したものを含むメニューを追加することが可能な光ディスク記録装置を提供し、あるいは更にその静止画を、動画内の任意の時間の映像から選択可能にした機能も備えた光ディスク記録装置を提供する。 【解決手段】エンコーダー／デコーダー１０と、ＤＶＤデータ作成部１１と、静止画作成部１５と、メニュー画面作成部１６と、ＦＳ作成部１７と、プレビュー部１８と、これらを制御するための制御部１９とを備えて、ＤＶＤ１２に映像記録後に、このＤＶＤ１２のディスク管理情報を用いて、所望の映像情報を抽出し、この映像情報のチャプターの静止画をディスク管理情報のタイトルメニューに割り付ける処理を行うことにより、映像を直接、ＤＶＤ１２へ記録する方式の光ディスク記録装置においても、容易にサムネイル付きメニューを作成することを可能とする。【選択図】      図１
2005302207.tif 000002
【特許請求の範囲】
【請求項１】
映像情報が記録される映像領域及び該映像情報の管理情報が記録される管理情報領域を有する光ディスクに、前記映像情報を直接記録した後に、前記映像情報のタイトルメニューに前記映像情報のチャプターのサムネイル画像を付加した画面情報を前記管理情報領域に記録して、前記光ディスクの再生装置で表示可能とした光ディスク記録装置であって、
予め生成された前記映像情報の管理情報に基づいて、前記光ディスクの前記映像情報のチャプターを検索する手段と、
前記検索されたチャプターの先頭の静止画をサムネイルとして順次、読み込み、これを前記タイトルメニューに割り付ける手段と、
前記サムネイルが割り付けられたタイトルメニューを前記光ディスクの管理情報領域に記録する手段と
を有することを特徴とする光ディスク記録装置。
【請求項２】
映像情報が記録される映像領域及び該映像情報の管理情報が記録される管理情報領域を有する光ディスクに、前記映像情報を直接記録した後に、前記映像情報のタイトルメニューに前記映像情報のチャプターのサムネイル画像を付加した画面情報を前記管理情報領域に記録して、前記光ディスクの再生装置で表示可能とした光ディスク記録装置であって、
予め生成された前記映像情報の管理情報に基づいて、前記光ディスクの前記映像情報のチャプターを検索する手段と、
前記チャプターの画像を表示させ、このチャプターから所望の静止画を選択させる手段と、
前記選択した静止画をサムネイルとして順次、読み込み、これを前記タイトルメニューに割り付ける手段と、
前記サムネイルが割り付けられたタイトルメニューを前記光ディスクの管理情報領域に記録する手段と
を有することを特徴とする光ディスク記録装置。
【発明の詳細な説明】
【技術分野】
【０００１】
本発明は、情報記録再生が可能なＤＶＤ（デジタル・バーサタイル・ディスク）等の記録再生装置に適用されて有効であり、特に動画に含まれる映像を活用したメニューを再生することが可能な光ディスク記録装置に関する。
【背景技術】
【０００２】
近年では、映像や音声等のデータを記録した光ディスクを再生する動画対応の光ディスクが開発されている。この装置は、例えばＬＤや、ビデオＣＤ再生装置などの様に、映画ソフトを鑑賞したり、カラオケ等、楽しむ目的で一般に普及されている。
【０００３】
例えば、ＤＶＤレコーダーの記録方式は一般に２つの方式がある。
【０００４】
（１）映像を直接、ＤＶＤに書き込む方式
（２）映像を一旦、ハードディスクに記録し、これを読み出して編集した後でＤＶＤに書      き込む方式
である。
【０００５】
その中で、現在、国際規格したＭＰＥＧ２（Ｍｏｖｉｎｇ  Ｐｉｃｔｕｒｅ  Ｉｍａｇｅ  Ｃｏｄｉｎｇ  Ｅｘｐｅｒｔｓ  Ｇｒｏｕｐ）方式を使用すると共に、ＡＣ−３オーディオ圧縮方式を採用したＤＶＤ規格が提案された。
【０００６】
この規格は、ＭＰＥＧ２システムレイヤに従って、動画圧縮方式にＭＰＥＧ２方式をサポートし、音声圧縮方式にＡＣ−３オーディオ圧縮方式及びＭＰＥＧオーディオ圧縮方式をサポートしている。
【０００７】
さらに、映画やカラオケ等の字幕用としてビットマップデータをランレングス圧縮した副映像データを取り扱うことができるようになっている。
【０００８】
さらに、この規格では、再生装置との関係では、早送り再生や早戻し再生等の特殊再生用コントロールデータ（ナビゲーションパック）を追加して構成されている。
【０００９】
また、ＤＶＤには、映像データの各所にチャプターと称する見出し位置を設定したり、チャプターに関連づけられたサムネイルと称する縮小画像の一覧を表示するメニュー機能を有し、メニュー表示中に任意のサムネイルを選択すると、関連づけられた映像を瞬時に再生開始することが可能である。
【００１０】
メディア自身の規格としては、ＤＶＤビデオのメディアであるＤＶＤ−ＲＯＭの規格に続き、ＤＶＤ−ＲＡＭの規格［記録容量約４．７ＧＢｙｔｅｓ］も完成し、ＤＶＤ−ＲＡＭドライブもコンピュータ周辺機器として普及し始めている。
【００１１】
そして、映像を一旦、ハードディスク（固定ディスクともいう）に記録し、これを読み出して編集した後でＤＶＤに書き込む方式は、編集にかける時間的制約はない。
【００１２】
例えば、映像を画面に表示して編集し、コンテンツのタイトルと、このタイトルに対するメニュー画面と、チャプターに対するメニュー画面を作り、これを光ディスクであるＤＶＤに記録していた。
【００１３】
すなわち、動画から生成した静止画を含むメニューを作成可能な機種が存在するものの、これらは動画情報を機器内の固定ディスク装置等へ一旦転送し、動画から作成した静止画を含むメニューを作成した後に、双方の情報を光ディスクへ記録する。
【特許文献１】特開２００２−１５２６３６号公報
【発明の開示】
【発明が解決しようとする課題】
【００１４】
しかしながら、従来の光ディスク記録装置においても、動画から生成した静止画を含むメニューを作成可能な機種が存在するものの、これらは動画情報を機器内の固定ディスク装置等へ一旦転送し、動画から作成した静止画を含むメニューを作成した後に、双方の情報を光ディスクへ記録する必要があることから、多くの作業時間を必要とするという課題があった。
【００１５】
また、従来の光ディスク記録装置で、映像信号の入力と同時に光ディスクへ記録する方式においては、主として文字を使用したメニューを作成する機能が大半で、動画から生成した静止画の追加は実現していなかった。
【００１６】
ＤＶＤに直接書き込む方式で、編集を行ってサムネイルを付けるためにはノンリニア編集機を用いて作成し、これをＤＶＤに書き込むことになるので、手間がかかる。
【００１７】
本発明は、上記の課題を鑑みてなされたもので、映像信号の入力と同時に光ディスクへ記録する方式においても、動画の一部を静止画化したものを含むメニューを追加することが可能な光ディスク記録装置を提供し、あるいは更にその静止画を、動画内の任意の時間の映像から選択可能にした機能も備えた光ディスク記録装置を提供することを目的とする。
【課題を解決するための手段】
【００１８】
本発明の光ディスク記録装置は、映像情報が記録される映像領域及び該映像情報の管理情報が記録される管理情報領域を有する光ディスクに、前記映像情報を直接記録した後に、前記映像情報のタイトルメニューに前記映像情報のチャプターのサムネイル画像を付加した画面情報を前記管理情報領域に記録して、前記光ディスクの再生装置で表示可能とした光ディスク記録装置である。
【００１９】
予め生成された前記映像情報の管理情報に基づいて、前記光ディスクの前記映像情報のチャプターを検索する手段と、前記検索されたチャプターの先頭の静止画をサムネイルとして順次、読み込み、これを前記タイトルメニューに割り付ける手段と、前記サムネイルが割り付けられたタイトルメニューを前記光ディスクの管理情報領域に記録する手段とを備えたことを要旨とする。
【００２０】
また、本発明の光ディスク記録装置は、映像情報が記録される映像領域及び該映像情報の管理情報が記録される管理情報領域を有する光ディスクに、前記映像情報を直接記録した後に、前記映像情報のタイトルメニューに前記映像情報のチャプターのサムネイル画像を付加した画面情報を前記管理情報領域に記録して、前記光ディスクの再生装置で表示可能とした光ディスク記録装置である。
【００２１】
予め生成された前記映像情報の管理情報に基づいて、前記光ディスクの前記映像情報のチャプターを検索する手段と、前記チャプターの画像を表示させ、このチャプターから所望の静止画を選択させる手段と、前記選択した静止画をサムネイルとして順次、読み込み、これを前記タイトルメニューに割り付ける手段と、前記サムネイルが割り付けられたタイトルメニューを前記光ディスクの管理情報領域に記録する手段とを備えたことを要旨とする。
【発明の効果】
【００２２】
以上のように本発明によれば、映像信号の入力と同時に光ディスク（記録、再生可能）に直接、記録する光ディスク装置であっても、光ディスクのタイトルメニューにチャプターのサムネイルを付加したサムネイル付きタイトルメニューをＤＶＤプレイヤーが読み取り可能に光ディスクに記録することにより、ユーザはタイトルメニューのサムネイルから容易にどんな映像が記録されているかを知ることができる。
【発明を実施するための最良の形態】
【００２３】
本実施の形態は、ＤＶＤに映像記録後に、このＤＶＤのディスク管理情報を用いて、所望の映像情報を抽出し、この映像情報のチャプターの静止画をディスク管理情報のタイトルメニューに割り付ける処理を行うことにより、映像を直接、ＤＶＤへ記録する方式の光ディスク記録装置においても、容易にサムネイル付きメニューを作成することを可能とするものである。
【００２４】
図１は本実施の形態の光ディスク記録装置の概略構成図である。図１の光ディスク記録装置は、図１に示すように、エンコーダー／デコーダー１０と、ＤＶＤデータ作成部１１と、静止画作成部１５と、メニュー画面作成部１６と、ＦＳ作成部１７と、プレビュー部１８と、これらを制御するための制御部１９とを備えている。
【００２５】
エンコーダー／デコーダー１０は、Ａ／Ｖ信号を入力してデジタル変換して、ＭＰＥＧ２形式にエンコードする。例えば、ビデオ信号は、Ｖエンコードされ、オーディオ信号はＡエンコードされ、文字等はＳＰエンコードする。
【００２６】
ＤＶＤデータ作成部１１は、エンコーダー／デコーダー部１０からのＭＰＥＧ２信号を入力して、ＤＶＤに書き込む形式に変換してＤＶＤドライブ１３に出力する。ＭＰＥＧ２信号は、そのままではＤＶＤ１２に記録するのに適さない。このため、ＭＰＥＧ２信号（圧縮された番組映像信号）のＧＯＰを検出して、再生時に必要なナビゲーションパック情報等を埋め込んだり、時間情報を再計算して書き換えたデータ列信号を生成してＤＶＤドライブ１３に出力して、ＤＶＤ１２に記録させる。
【００２７】
静止画作成部１５は、プレビュー部１６で表示されたチャプター設定画面での選択項目によって、ＤＶＤドライブ１３を介してＤＶＤ１２のコンテンツのＧＯＰ（Ｇｒｏｕｐ  ｏｆ  Ｐｉｃｔｕｒｅ）を検出し、このＧＯＰのチャプター群の先頭の静止画をサムネイル画像として読み込み、メモリ２０に保存する。
【００２８】
メニュー画面作成部１６は、背景画像等の素材と静止画作成部１５からのサムネイル画像を使用して、メニューテンプレート（メニュー画面作成指示書）に従ったメニュー（静止画付きタイトルメニュー）を作成して、図１のタイトルメニュー画面Ａｉを表示可能とさせるものである。本実施の形態は、一般のＤＶＤプレイヤー等でタイトルメニュー画面Ａｉを表示可能とするものであるが、プレビュー部１８で表示した例を示している。
【００２９】
ＦＳ作成部１７は、一般のＤＶＤプレイヤー或いは、ＰＣ等で読み取り可能となるよう、ＤＶＤ１２に記録された各情報の先頭位置やデータのサイズ等を一般に普及しているファイル形式（ＵＤＦ並びにＩＳＯ９６６０）にしてＤＶＤ１２に記録する。
【００３０】
前述のメニュー画面作成指示書は、図２（ａ）に示すように、背景画のファイル名、サムネイルの大きさ、サムネイル数、サムネイル位置、サムネイル変換の項目等からなる。
【００３１】
このメニュー画面作成指示書、素材等は予め外部からインポートしておくか、又は標準のものを使用するのが好ましい。
【００３２】
さらに、制御部１９（ＣＰＵ）は、メモリ２０に、外部からのＥＤＬを入力し、このＥＤＬに書き込まれたデータに基づいて外部接続したＶＴＲを制御し、再生する能力を備えており、ＶＴＲから出力される映像・音声・タイムコードを基に各部を制御する。例えば、ＤＶＤ１２への記録に適したデータへ変換されたＭＰＥＧ２信号がＤＶＤデータ作成部１１から出力されたとき、ＤＶＤドライブ１３を制御してＤＶＤ１２に記録させる。
【００３３】
また、前述のＥＤＬは例えば図２（ｂ）に示すように、ＶＴＲ映像（コンテンツ）の先頭の位置、終わり位置、チャプターを置く位置等が記述されたテーブルである。
【００３４】
上記のように構成された光ディスク記録装置について以下に動作を説明する。図３はＤＶＤデータ作成部１１の動作を説明するフローチャートである。
【００３５】
図３に示すように、ＤＶＤデータ作成部１１は、制御部１９からの記録指示に伴って、エンコーダー／デコーダー１０からの映像信号であるＭＰＥＧ２信号を読み込み（Ｓ１）、メモリ２０に一時記録する（Ｓ２）。
【００３６】
次に、ＭＰＥＧ２信号のＧＯＰを検出し（Ｓ３）、このＧＯＰの先頭にナビゲーションパックを埋め込んだデータ列を生成する（Ｓ４）。そして、このデータ列をＤＶＤドライブ１３に出力して、制御部１９の指示によってＤＶＤ１２に記録させる（Ｓ５）。
【００３７】
このＤＶＤ１２は、例えば図１１に示すように、管理情報領域と、映像記録領域とを備える。
【００３８】
一方、静止画作成部１５及びメニュー画面作成部１６は図４，図５のフローチャートに基づく処理を行う。制御部１９は、静止画作成部１５とメニュー画面作成部１６に、タイトルメニュー或いは、チャプターメニューを作成する指示を出す。
【００３９】
（チャプターメニューを作成する指示の場合について述べる。）
メニュー画面作成部１６は、図５に示すように、制御部１９から、タイトル番号Ｔｐとチャプターの数をＨｎとして取得する（Ｓ３０）。さらに、チャプター番号カウンターのカウント値（チャプター番号Ｈｐ）の初期化を行う（Ｓ３１）。次に、プレビュー部１８にこのサムネイル画（図６（ａ）参照）を表示する（Ｓ３２）。
【００４０】
一方、静止画作成部１５は、図４に示すように、タイトル番号Ｔｐとチャプターの数をＨｎとして取得し（Ｓ２０）、チャプター番号カウンター（図示せず）のカウント値（チャプター番号Ｈｐ）の初期設定処理を行う（Ｓ２１）。図４においては、チャプター番号Ｈｐの初期設定として示している。
【００４１】
次に、ステップＳ２１で設定したチャプター番号Ｈｐに１を加算し、この加算したチャプター番号（＋＋Ｈｐ）とステップＳ２０で取得したチャプター数Ｈｎと比較し、加算したチャプター番号（＋＋Ｈｐ）が取得したチャプター数Ｈｎ以下の数かどうかを判断する（Ｓ２２）。
【００４２】
ステップＳ２２において、取得したチャプター数Ｈｎがチャプター番号（＋＋Ｈｐ）以下の数と判定したときは、ＤＶＤ１２に記録されているタイトルＴｐのチャプター番号Ｈｐの先頭データ画像に相当するデータを読み（Ｓ２３）、エンコーダー／デコーダー１０に転送し（Ｓ２４）、ここでデコード処理された画像データをメモリ２０に蓄積させる（Ｓ２５）。
【００４３】
一方、メニュー画面作成部１６は、ステップＳ３１で設定したチャプター番号Ｈｐに１を加算し、この加算したチャプター番号（＋＋Ｈｐ）とステップＳ３０で取得したチャプター数Ｈｎと比較し、加算したチャプター番号（＋＋Ｈｐ）が取得したチャプター数Ｈｎ以下の数かどうかを判断する（Ｓ３３）。
【００４４】
ステップＳ３３において、取得したチャプター数Ｈｎがチャプター番号（＋＋Ｈｐ）以下の数と判定したときは、メモリ２０にチャプター番号Ｈｐの画像があるかどうかを判断する（Ｓ３４）。
【００４５】
ステップＳ３４において、画像があると判断したときは、これをサムネイル画として順次、取り込む（Ｓ３５）。そして、処理をステップＳ３２に戻す。
【００４６】
すなわち、タイトルＴｐには、チャプターの数Ｈｎのサムネイル画が作成されることになる。これを、本実施の形態では、タイトルのチャプターサムネイル群と称する。
【００４７】
また、ステップＳ３３で、加算したチャプター番号（＋＋Ｈｐ）が取得したチャプター数Ｈｎより大きいと判断したときは、図６（ａ）に示す画面上でのタイトルクローズが押されたかどうかを判断する（Ｓ３７）。
【００４８】
ステップＳ３７において、タイトルクローズが押されたと判断したときは、メニュー素材２２とチャプターサムネイル群とを合成した（Ｓ３８）、サムネイル付き画像Ｋｉを作成する（Ｓ３９）。
【００４９】
このとき、制御部１９は、サムネイル付き画像ＫｉをＤＶＤデータ作成部１１に出力し、ＤＶＤデータ作成部１１は、ＤＶＤ１２に適したデータに変換してＤＶＤ１２の管理情報領域に記録する。
【００５０】
（タイトルメニューを作成する場合の処理）
図７及び図８は、タイトルメニューを作成する場合の処理を説明するものであり、図７は静止画作成処理の処理を、図８はメニュー作成部の処理を示す。
【００５１】
静止画作成部１５は、図７に示すように、タイトルの数をＨｎとして取得し（Ｓ４０）、タイトル個数カウンター（図示せず）のカウント値（タイトル番号Ｈｐとして設定）を０に設定する初期処理を行う（Ｓ４１）。次に、ステップＳ４１で設定したタイトル番号Ｈｐに１を加算し、この加算したタイトル番号（＋＋Ｈｐ）とステップＳ４０で取得したタイトルの数Ｈｎと比較し、加算したタイトル番号（＋＋Ｈｐ）が取得したタイトルの数Ｈｎ以下の数かどうかを判断する（Ｓ４２）。
【００５２】
ステップＳ４２において、取得したタイトルの数Ｈｎよりタイトル番号（＋＋Ｈｐ）が小さいと判定したときは、ＤＶＤ１２に記録されているタイトル番号Ｈｐの先頭データ画像に相当するデータを読み（Ｓ４３）、エンコーダー／デコーダー１０に転送し（Ｓ４４）、このデコーダー処理された画像データをメモリ２０に蓄積させ（Ｓ４５）、処理をステップＳ４２に戻す。ただし、先頭のチャプターの画像を指定して戻す。先頭のチャプターの画像は、チャプターメニュー作成時に処理したチャプター番号１の画像をメモリ２０に残しておいてもよい。
【００５３】
一方、メニュー画面作成部は図８に示すように、制御部１９からタイトルの数をＨｎとして取得する（Ｓ５０）。次に、メニュー画面作成部は、タイトル個数カウンターのカウント値（タイトル番号Ｈｐ）の初期設定処理を行う（Ｓ５１）。
【００５４】
次に、プレビュー部に、このこのタイトルの数のサムネイル画面（図６（ｂ））を表示する（Ｓ５２）。
【００５５】
そして、ステップＳ５１で設定したタイトル番号Ｈｐに１を加算し、この加算したタイトル番号（＋＋Ｈｐ）とステップＳ５０で取得したタイトルの数Ｈｎと比較し、加算したタイトル番号（＋＋Ｈｐ）が取得したタイトルの数Ｈｎ以下の数かどうかを判断する（Ｓ５３）。
【００５６】
ステップＳ５３において、取得したタイトルの数Ｈｎがタイトル番号（＋＋Ｈｐ）以下の数と判定したときは、メモリ２０にタイトル番号Ｈｐの画像があるかどうかを判断する（Ｓ５４）。
【００５７】
ステップＳ５４において、画像があると判断したときは、これをサムネイル画として順次、取り込む（Ｓ５５）。そして、処理をステップＳ５２に戻す。
【００５８】
すなわち、タイトルの数Ｈｎのサムネイルが作成される。これを、本実施の形態では、サムネイル付きＴＯＰメニューと称する。
【００５９】
また、ステップＳ５３で、加算したタイトル番号（＋＋Ｈｐ）が取得したタイトルの数Ｈｎより大きいな数と判断したときは、図６（ｂ）に示す画面上でのファイナライズが押されたかどうかを判断する（Ｓ５７）。
【００６０】
ステップＳ５７において、ファイナライズが押されたと判断したときは、メニュー素材２２とタイトル用のサムネイル群とを合成した（Ｓ５８）、サムネイル付き画像Ｋｉを作成する（Ｓ５９）。
【００６１】
このとき、制御部１９は、サムネイル画像ＫｉをＤＶＤデータ作成部１１に出力し、ＤＶＤデータ作成部１１は、ＤＶＤ１２に適したデータに変換してＤＶＤ１２に記録させる。また、ＦＳ作成部１７を起動し、ＤＶＤプレイヤー或いは、ＰＣで読み取り可能なファイル情報を付加してＤＶＤ１２に記録する。
【００６２】
図９はサムネイル付きタイトルメニューの表示例である。
【００６３】
図９に示すように、サムネイル付きタイトルメニューには、図６（ｂ）に示すサムネイル画面に基づく、各タイトルの先頭のサムネイル画像が表示（図９は４個のチャプターのサムネイル画像を示している）されることになるので、ユーザは一目で何がＤＶＤ１２に記録されているかが容易にわかる。
【００６４】
すなわち、本実施の形態では、図１０に示すように、タイトル１のコンテンツの各チャプターの先頭のサムネイル画像Ｍ１ｉ（Ｍ１ａ、Ｍ１ｂ、Ｍ１ｃ、Ｍ１ｄ）、タイトル２の各チャプターの先頭のサムネイル画像Ｍ２ｉ（Ｍ２ａ、Ｍ２ｂ、Ｍ２ｃ）、タイトル３の各チャプターの先頭のサムネイル画像Ｍ３ｉ（Ｍ３ａ、Ｍ３ｂ、Ｍ３ｃ、Ｍ３ｄ）を読み出し、サムネイル画像Ｍ１ｉ（Ｍ１ａ、Ｍ１ｂ、Ｍ１ｃ、Ｍ１ｄ）はタイトル１に割付け、サムネイル画像Ｍ２ｉ（Ｍ２ａ、Ｍ２ｂ、Ｍ２ｃ）はタイトル２に割り付ける。また、サムネイル画像Ｍ３ｉ（Ｍ３ａ、Ｍ３ｂ、Ｍ３ｃ、Ｍ３ｄ）はタイトル３に割り付ける。
【００６５】
そして、各タイトルの先頭のチャプター（Ｃｈａｐｔｅｒ１）の先頭のサムネイル画像Ｍ１ａ、Ｍ２ａ、Ｍ３ａをメニュー画面に割り付ける。
【００６６】
これによって、タイトルメニューの表示は、例えば図９に示す表示となる。
【００６７】
なお、上記実施の形態では、チャプターの先頭の静止画をサムネイルとして抽出させたがプレビュー部に、チャプター内の任意の映像を動画表示させ、希望の場面になったときに、動画表示を停止させ、この停止したときの場面の映像を選択してもよい。
【００６８】
図１２に示すように、チャプターの映像が停止されたときの画像をサムネイルとして抽出し、これをタイトルメニューに割り付けさせる。すなわち、チャプターの映像の中で任意の静止画をサムネイルとするので、最も印象に残っている画像をタイトルメニュー又はＴＯＰメニュー画面に割り付けることが可能となる。
【図面の簡単な説明】
【００６９】
【図１】本実施の形態の光ディスク記録装置の概略構成図である。
【図２】本実施の形態のテンプレートとＥＤＬを説明する説明図である。
【図３】本実施の形態の光ディスク記録装置の動作を説明するフローチャートである。
【図４】チャプターメニューの静止画を作成する場合の光ディスク記録装置の動作を説明するフローチャートである。
【図５】チャプターメニューのメニュー画面を作成する場合の光ディスク記録装置の動作を説明するフローチャートである。
【図６】本実施の形態のチャプター、タイトルメニューのサムネイル画面を説明する説明図である。
【図７】タイトルメニューの静止画を作成する場合の光ディスク記録装置の動作を説明するフローチャートである。
【図８】タイトルメニューのメニュー画面を作成する場合の光ディスク記録装置の動作を説明するフローチャートである。
【図９】本実施の形態のサムネイル付きタイトルメニュー画面の説明図である。
【図１０】本実施の形態のサムネイル付きタイトルメニュー及びＴＯＰメニュー画面の生成を説明する説明図である。
【図１１】本実施の形態のＤＶＤの記録領域を説明する説明図である。
【図１２】他の実施の形態を説明する説明図である。
【符号の説明】
【００７０】
１０  エンコーダー／デコーダー
１１  ＤＶＤデータ作成部
１２  ＤＶＤ
１３  ＤＶＤドライブ
１５  静止画作成部
１６  メニュー画面作成部
１７  ＦＳ作成部
１８  プレビュー部
１９  制御部
２０  メモリ
２１  ＥＤＬ
【図１】
2005302207.tif 000003
【図２】
2005302207.tif 000004
【図３】
2005302207.tif 000005
【図４】
2005302207.tif 000006
【図５】
2005302207.tif 000007
【図６】
2005302207.tif 000008
【図７】
2005302207.tif 000009
【図８】
2005302207.tif 000010
【図９】
2005302207.tif 000011
【図１０】
2005302207.tif 000012
【図１１】
2005302207.tif 000013
【図１２】
2005302207.tif 000014